(57)【要約】【課題】忘れ物が生じる可能性を低くすること。【解決手段】１つの態様において、携帯通信装置（例えば、携帯電話機）１０は、無線タグ（ＲＦＩＤ）５０のタグデータを読み取るリーダと、制御部とを備える。リーダは、読取可能範囲内に存在する物品２ａ〜２ｎに設けられた無線タグ５０のタグデータを読み取る。制御部は、予定と当該予定に用いられる物品２ａ〜２ｎとを対応付けたスケジュールデータに基づいて、所持すべき物品２ａ〜２ｎに設けられた無線タグ５０のタグデータを抽出し、抽出されたタグデータとリーダによって読み取られるタグデータとを照合することにより、忘れ物を検出する。【選択図】図１
2014044522.tif 000002
【特許請求の範囲】
【請求項１】
読取可能範囲内に存在する物品に設けられた無線タグのタグデータを読み取るリーダと、
予定と当該予定に用いられる物品とを対応付けたスケジュールデータに基づいて、所持すべき物品に設けられた無線タグのタグデータを抽出し、抽出されたタグデータと前記リーダによって読み取られるタグデータとを照合することにより、忘れ物を検出する制御部と
を備える携帯通信装置。
【請求項２】
前記制御部は、移動が検出された場合に、前記抽出されたタグデータと前記リーダによって読み取られるタグデータとを照合する請求項１に記載の携帯通信装置。
【請求項３】
現在位置を取得する位置取得部をさらに備え、
前記制御部は、前記位置取得部によって検出される位置が所定の領域の外に出た場合に、移動が検出されたと判定する請求項２に記載の携帯通信装置。
【請求項４】
加速度センサをさらに備え、
前記制御部は、前記加速度センサの検出する加速度に基づいて、移動が検出されたと判定する請求項２又は３に記載の携帯通信装置。
【請求項５】
前記制御部は、前記リーダによって前記無線タグのタグデータのいずれかが検出されなくなった場合に、移動が検出されたと判定する請求項２から４のいずれか１項に記載の携帯通信装置。
【請求項６】
前記制御部は、所定の時刻になった場合に、前記抽出されたタグデータと前記リーダによって読み取られるタグデータとを照合する請求項１から５のいずれか１項に記載の携帯通信装置。
【請求項７】
前記予定は、学校の授業又は行事に関する予定であり、前記物品は、教材である請求項１から６のいずれか１項に記載の携帯通信装置。
【請求項８】
物品に設けられた無線タグと、携帯通信装置とを含む忘れ物検出システムであって、
前記無線タグは、
前記物品を識別するためのタグデータを記憶するメモリを備え、
前記携帯通信装置は、
読取可能範囲内に存在する前記物品に設けられた前記無線タグのタグデータを読み取るリーダと、
予定と当該予定に用いられる物品とを対応付けたスケジュールデータに基づいて、所持すべき物品に設けられた無線タグのタグデータを抽出し、抽出されたタグデータと前記リーダによって読み取られるタグデータとを照合することにより、忘れ物を検出する制御部とを備える
忘れ物検出システム。
【請求項９】
無線タグのタグデータを読み取るリーダを備える携帯通信装置によって実行される忘れ物検出方法であって、
読取可能範囲内に存在する物品に設けられた前記無線タグのタグデータを前記リーダによって読み取るステップと、
予定と当該予定に用いられる物品とを対応付けたスケジュールデータに基づいて、所持すべき物品に設けられた前記無線タグのタグデータを抽出し、抽出されたタグデータと前記リーダによって読み取られるタグデータとを照合することにより、忘れ物を検出するステップと
を含む忘れ物検出方法。
【発明の詳細な説明】
【技術分野】
【０００１】
本出願は、携帯通信装置、忘れ物検出システム及び忘れ物検出方法に関する。
【背景技術】
【０００２】
近年、携帯電話機等の携帯通信装置には、小児、児童等の子供向けの携帯電話機がある。このような子供向けの携帯電話機には、誘拐等の犯罪に遭うのを低減するための各種のセキュリティー機能が実装されている。例えば、特許文献１では、ユーザがストラップを引っ張った場合にセキュリティー機能を実行するように構成された携帯電話機が開示されている。セキュリティー機能には、例えば、ブザー等の警報音を出力する機能、発光させる機能、所定登録先へメールを送信する機能、所定登録先への通話発信する機能等が含まれる。
【先行技術文献】
【特許文献】
【０００３】
【特許文献１】特開２０１１−１５１７５１号公報
【発明の概要】
【発明が解決しようとする課題】
【０００４】
ところで、子供が通う学校の教材は種類が多く、さらに、必要な教材が毎日変わるので、忘れ物が発生しやすい。しかしながら、このような忘れ物が生じないように支援する機器は従来無かった。そのような理由から、忘れ物が生じる可能性を低くすることができる携帯通信装置、忘れ物検出システム及び忘れ物検出方法に対するニーズがある。
【課題を解決するための手段】
【０００５】
１つの態様に係る携帯通信装置は、読取可能範囲内に存在する物品に設けられた無線タグのタグデータを読み取るリーダと、予定と当該予定に用いられる物品とを対応付けたスケジュールデータに基づいて、所持すべき物品に設けられた無線タグのタグデータを抽出し、抽出されたタグデータと前記リーダによって読み取られるタグデータとを照合することにより、忘れ物を検出する制御部とを備える。
【０００６】
１つの態様に係る忘れ物検出システムは、物品に設けられた無線タグと、携帯通信装置とを含む忘れ物検出システムであって、前記無線タグは、前記物品を識別するためのタグデータを記憶するメモリを備え、前記携帯通信装置は、読取可能範囲内に存在する前記物品に設けられた前記無線タグのタグデータを読み取るリーダと、予定と当該予定に用いられる物品とを対応付けたスケジュールデータに基づいて、所持すべき物品に設けられた無線タグのタグデータを抽出し、抽出されたタグデータと前記リーダによって読み取られるタグデータとを照合することにより、忘れ物を検出する制御部とを備える。
【０００７】
１つの態様に係る忘れ物検出方法は、無線タグのタグデータを読み取るリーダを備える携帯通信装置によって実行される忘れ物検出方法であって、読取可能範囲内に存在する物品に設けられた前記無線タグのタグデータを前記リーダによって読み取るステップと、予定と当該予定に用いられる物品とを対応付けたスケジュールデータに基づいて、所持すべき物品に設けられた前記無線タグのタグデータを抽出し、抽出されたタグデータと前記リーダによって読み取られるタグデータとを照合することにより、忘れ物を検出するステップとを含む。
【図面の簡単な説明】
【０００８】
【図１】図１は、実施形態に係る忘れ物検出システムの概略構成を示す図である。
【図２】図２は、携帯電話機が忘れ物を検出する処理手順を示すフローチャートである。
【図３】図３は、図１に示す携帯電話機のブロック図である。
【図４】図４は、スケジュールデータの例を示す図である。
【図５】図５は、物品データの例を示す図である。
【図６】図６は、設定データの例を示す図である。
【図７】図７は、ＲＦＩＤのブロック図である。
【図８】図８は、忘れ物を検出するための処理手順の例を示すフローチャートである。
【図９】図９は、ＩＤを読み取れなくなった場合に忘れ物を検出する処理手順の例を示すフローチャートである。
【図１０】図１０は、学校と学習塾に対応したスケジュールデータの例を示す図である。
【図１１】図１１は、日付と時間帯に対応したスケジュールデータの例を示す図である。
【発明を実施するための形態】
【０００９】
本出願に係る携帯通信装置、忘れ物検出システム及び忘れ物検出方法を実施するための実施形態を、図面を参照しつつ詳細に説明する。以下の説明により、本出願に係る携帯通信装置、忘れ物検出システム及び忘れ物検出方法が限定されるものではない。以下の説明における構成要素には、当業者が容易に想定できるもの、実質的に同一のもの、いわゆる均等の範囲のものが含まれる。以下においては、携帯通信装置の一例として携帯電話機を取り上げるが、本発明の適用対象は携帯電話機に限定されるものではない。携帯通信装置として、例えば、多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等を用いてもよい。
【００１０】
（実施形態）
図１は、実施形態に係る忘れ物検出システム１の概略構成を示す図である。図１に示すように、忘れ物検出システム１は、携帯電話機１０と、ＲＦＩＤ（Ｒａｄｉｏ  Ｆｒｅｑｕｅｎｃｙ  ＩＤｅｎｔｉｆｉｃａｔｉｏｎ）５０と、スケジュール入力装置７０とを含む。携帯電話機１０は、通信ネットワークを介して他の通信装置と通信できる。
【００１１】
携帯電話機１０は、生徒（学生）によって携帯される携帯通信装置である。生徒は、例えば、保育園児、幼稚園児、小学生、及び中学生を含む。携帯電話機１０は、図１の例に示すように、通学時に、生徒が教材を運ぶのに用いる鞄５に取り付けられるように構成される。鞄５は、ランドセル、リュックサック、手提げ袋等であってもよい。携帯電話機１０は、通学時に、生徒の衣服又は身体に取り付けられてもよい。
【００１２】
ＲＦＩＤ５０は、無線タグである。ＲＦＩＤ５０は、忘れ物の検出対象である物品２ａ〜２ｎに設けられる。物品２ａ〜２ｎは、学校（保育園、幼稚園）での授業又は行事において用いられる教材である。教材は、例えば、教科書、副読本、辞書、ノート、体操着、楽器、各種の道具を含む。ＲＦＩＤ５０は、生徒の保護者等によって物品２ａ〜２ｎに貼付される。ＲＦＩＤ５０は、物品２ａ〜２ｎに予め備え付けられていてもよい。ＲＦＩＤ５０が設けられた物品２ａ〜２ｎは、必要に応じて、鞄５に収容された状態で家と学校の間を運ばれる。
【００１３】
ＲＦＩＤ５０は、物品２ａ〜２ｎを識別するためのタグデータを有する。以下の説明では、説明を簡単にするために、タグデータをＩＤと呼ぶことがある。ＲＦＩＤ５０のタグデータは、携帯電話機１０が有するリーダによって読み取られる。
【００１４】
スケジュール入力装置７０は、スケジュールデータが入力される装置である。スケジュールデータは、学校の授業又は行事に関する予定と、授業又は行事において用いられる物品に関する情報とを含む。授業又は行事において用いられる物品に関する情報は、物品に設けられているＲＦＩＤ５０のＩＤを特定できるように構成される。
【００１５】
スケジュール入力装置７０は、携帯電話機１０と通信可能に構成される。スケジュール入力装置７０と携帯電話機１０との間の通信は、公衆回線を介して実現されてもよいし、無線ＬＡＮ、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）、赤外線通信等の近距離の無線回線を介して実現されてもよいし、有線ケーブルを介して実現されてよい。スケジュール入力装置７０は、入力されたスケジュールデータを携帯電話機１０へ送信する。
【００１６】
スケジュール入力装置７０は、携帯電話機、パソコン又はサーバ等の任意の電子機器であってよい。スケジュール入力装置７０にスケジュールデータを入力する者は、生徒、生徒の保護者、又は学校関係者等の任意の者であってよい。スケジュール入力装置７０から携帯電話機１０へのスケジュールデータの送信は、例えば、電子機器間でのデータの同期に用いられる各種の技術を用いて実現することができる。
【００１７】
図１に示す忘れ物検出システム１において、どのようにして忘れ物が検出されるかについて説明する。図２は、携帯電話機１０が忘れ物を検出する処理手順を示すフローチャートである。図２に示すように、携帯電話機１０は、ステップＳ１として、携帯電話機１０の移動を検出する。具体的には、携帯電話機１０は、家から外へ出る移動を検出する。家から外へ出る移動には、外へ出るための家の中での移動、ちょうど家から外へ出るときの移動、及び家から出て間もない移動（家から所定範囲内の移動）が含まれる。
【００１８】
こうして移動を検出すると、携帯電話機１０は、ステップＳ２として、リーダを用いてＩＤの読み取りを実行する。これにより、リーダの読取可能範囲内に存在する物品２ａ〜２ｎに設けられたＲＦＩＤ５０からＩＤが読み取られる。携帯電話機１０が有するリーダは、鞄５及び他の手提げ袋等に収容されている物品２ａ〜２ｎに設けられたＲＦＩＤ５０のＩＤを読み取ることができるが、鞄５から所定の距離（例えば、２〜３ｍ）離れた物品に設けられたＲＦＩＤ５０のＩＤは読み取れない読取可能範囲を有する。このため、ステップＳ２においては、生徒が所持している全ての物品２ａ〜２ｎに設けられたＲＦＩＤ５０のＩＤが読み取られるが、その他の物品に設けられたＲＦＩＤ５０のＩＤが読み取られることはほとんどない。
【００１９】
続いて、携帯電話機１０は、ステップＳ３として、スケジュールデータに基づいて、物品２ａ〜２ｎのうち、所持しているべき物品に設けられたＲＦＩＤ５０のＩＤを抽出する。具体的には、携帯電話機１０は、当日予定されている授業又は行事において用いられる物品に関する情報を抽出し、抽出した情報に含まれる物品に対応するＩＤを特定する。ステップＳ２及びステップＳ３の実行順序は逆であってもよいし、ステップＳ２及びステップＳ３は並列に実行されてもよい。
【００２０】
続いて、携帯電話機１０は、ステップＳ４として、ステップＳ２で読み取ったＩＤと、ステップＳ３で抽出したＩＤとを照合して、忘れ物を検出する。具体的には、ステップＳ３で抽出されたが、ステップＳ２で読み取られていないＩＤがあれば、そのＩＤに対応する物品が忘れ物である。忘れ物が検出された場合、携帯電話機１０は、ステップＳ５として、忘れ物を報知する。報知は、表示部へのメッセージ又はシンボルの表示、音、声、ランプの点滅、振動等によって、忘れ物の存在を報知するように実装されてもよいし、さらに、個々の忘れ物の名称又はシンボルを表示部に表示するように実装されてもよい。
【００２１】
このように、携帯電話機１０は、スケジュールデータに基づいて、物品２ａ〜２ｎのうち、所持すべき物品に設けられたＲＦＩＤ５０のＩＤを抽出し、抽出したＩＤと、鞄５に収容されている物品に設けられたＲＦＩＤ５０から読み取ったＩＤとを照合する。このため、鞄５に収容されている物品を１つ１つ手作業で確認しなくても、忘れ物が検出される。この結果、携帯電話機１０は、利用者を煩わせることなく、忘れ物が生じる可能性を低くすることができる。
【００２２】
さらに、携帯電話機１０は、移動を検出したことを契機として、忘れ物を検出する処理を実行する。このため、生徒が携帯電話機１０を所持して、家なら出るため移動するだけで、忘れ物を検出する処理が自動的に実行される。このタイミングは、必要な物品を全て持っているべきタイミングであるので、忘れ物を検査するタイミングとして好適である。この結果、携帯電話機１０は、利用者を煩わせることなく、好適なタイミングで忘れ物の検査をすることができる。
【００２３】
図３は、携帯電話機１０の機能構成を示すブロック図である。図３に示すように、携帯電話機１０は、マイク１１と、スピーカ１２と、レシーバ１３と、操作部１４と、表示部１５と、カメラ１６と、通信部１７と、加速度センサ１８と、リーダ１９と、音声処理部２０と、記憶部４０と、制御部１００とを有する。
【００２４】
マイク１１は、例えば、音声検索の利用時に生徒が発する音声、ノイズキャンセル処理時に利用する音など、種々の音を取得する。スピーカ１２は、例えば、携帯電話機１０の筐体内に配置されており、着信音やメールの送信音等を出力する。レシーバ１３は、例えば、通話時の音声などを出力する。
【００２５】
操作部１４は、各種機能が割り当てられた複数のキーを有する。操作部１４は、これらのキーが生徒の操作により入力されると、その操作内容に対応する信号を発生させる。発生した信号は、生徒の指示として制御部１００へ入力される。
【００２６】
表示部１５は、任意のディスプレイを有し、制御部１００から供給される映像データに応じた映像や画像データに応じた画像を表示パネルに表示させる。ディスプレイは、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｔｒｏ−Ｌｕｍｉｎｅｓｃｅｎｃｅ）パネルなどで構成された表示パネルで構成される。表示部１５は、ディスプレイに加え、サブディスプレイを有していてもよい。カメラ１６は、撮影した画像を取得する。
【００２７】
通信部１７は、アンテナ１７ａを有し、通信ネットワークに収容される基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、スケジュール入力装置７０との間で電話通信及び情報通信を行う。通信部１７は、通信ネットワークに収容される基地局以外の通信装置とも通信できるように構成されてよい。例えば、通信部１７は、無線ＬＡＮのアクセスポイントと通信できるように構成されてよい。
【００２８】
さらに、通信部１７は、ＧＰＳ衛星からの所定の周波数帯の電波信号を受信し、受信した電波信号の復調処理を行って、処理後の信号を制御部１００に送出する。通信部１７とは別に、ＧＰＳ衛星との通信のみを行う通信部を設けてもよい。
【００２９】
加速度センサ１８は、携帯電話機１０に加わる加速度の方向及び大きさを検出する。加速度センサ１８は、その検出結果に対応する信号を発生させる。発生した信号は、制御部１００へ入力される。
【００３０】
リーダ１９は、アンテナを有し、アンテナを介してＲＦＩＤ５０からＩＤを含む情報を所定の通信方式で受信し、受信した情報を制御部１００に出力する。通信方式は、例えば、電磁誘導方式、電磁結合方式、電波方式等を含む。リーダ１９は、読取可能範囲内にある複数のＲＦＩＤ５０からそれぞれのＩＤを受信するように構成されている。リーダ１９は、複数のＲＦＩＤ５０から情報を受信する毎に、受信した情報を制御部１００に出力してもよい。あるいは、リーダ１９は、複数のＲＦＩＤ５０から受信した情報を一括して制御部１００に出力してもよい。
【００３１】
携帯電話機１０は、リーダ１９に代えて、リーダ／ライタを有してもよい。すなわち、携帯電話機１０は、ＲＦＩＤ５０から情報を読み取る機能だけでなく、ＲＦＩＤ５０に情報を書き込む機能を有してもよい。
【００３２】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ送出する。音声処理部２０は、制御部１００から送られる音声データの復号化、デジタルアナログ変換、増幅等の処理を施し、アナログの音声信号に変換してからスピーカ１２及びレシーバ１３へ出力する。
【００３３】
記憶部４０は、オペレーティングシステムプログラム及びアプリケーションプログラム等、制御部１００での処理に利用される各種プログラム及び各種データを記憶する。例えば、記憶部４０には、表示部１５の動作を制御するアプリケーションプログラムを作動させるタスク、通信部１７の動作を制御するアプリケーションプログラムを作動させるタスク及び音声処理部２０の動作を制御するアプリケーションプログラムを作動させるタスクなどが記憶されている。記憶部４０には、これらのタスク以外にも、例えば、ダウンロードされた音声データ、あるいは記憶部４０に対する制御に制御部１００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００３４】
本実施形態において、記憶部４０は、データ記憶領域４１を含む。データ記憶領域４１は、制御部１００が用いる各種データが記憶される領域である。データ記憶領域４１には、例えば、ＲＦＩＤ５０から読み取ったＩＤが記憶される。
【００３５】
記憶部４０は、スケジュールデータ４２、物品データ４３、設定データ４４等の各種データを記憶する。スケジュールデータ４２は、学校の授業又は行事に関する予定を特定するための情報を含む。物品データ４３は、予定と当該予定において用いられる物品２ａ〜２ｎに取り付けられたＲＦＩＤ５０のＩＤとを対応付けるための情報を含む。設定データ４４は、携帯電話機１０の動作に関する各種の設定に関する情報を含む。
【００３６】
次に、図４を参照しながら、スケジュールデータ４２について説明する。図４は、スケジュールデータ４２の例を示す図である。図４に示すように、スケジュールデータ４２は、携帯電話機１０を所持する生徒に対応した曜日毎の時間割情報を含む。時間割情報は、時限毎に行われる予定（授業の科目、行事の種類等）を示す項目を含む。
【００３７】
図４に示す例では、月曜日に対応した時間割情報は、１時限に「国語」、２時限に「算数」、３時限に「社会」、４時限に「体育（水泳）」、５時限に「理科」が設定されている。火曜日に対応した時間割情報は、１〜３時限に「球技大会」、４時限に「社会（地理）」、５時限に「体育」が設定されている。このように、それぞれの時限の予定には、授業又は行事において用いられる物品を特定できるように情報が設定される。例えば、図４に示す例には、予定として、「体育」と「体育（水泳）」とが含まれる。「体育」は、運動場又は体育館で行われる体育の授業を表し、この授業では体操着が必要である。「体育（水泳）」は、プールで行われる体育の授業を表し、この授業では水着が必要である。このように、スケジュールデータ４２においては、科目は同じであっても、用いられる物品が異なる授業があれば、それらを区別できるように情報が設定される。
【００３８】
次に、図５を参照しながら、物品データ４３について説明する。図５は、物品データ４３の例を示す図である。図５に示すように、物品データ４３は、予定、物品名、ＩＤといった項目を含む。予定の項目には、スケジュールデータ４２に含まれる予定と対応する値が設定される。物品名の項目には、予定の項目に設定された授業又は行事で用いられる物品を示す値が設定される。ＩＤの項目には、予定の項目に設定された授業又は行事で用いられる物品に設けられたＲＦＩＤ５０のＩＤが設定される。
【００３９】
図５に示す例では、物品データ４３の１件目のデータにおいて、予定の項目に「国語」が設定されている。さらに、このデータには、物品名の項目に「教科書」が設定され、ＩＤの項目に教科書に設けられたＲＦＩＤ５０のＩＤが設定された情報と、物品名の項目に「ノート」が設定され、ＩＤの項目にノートに設けられたＲＦＩＤ５０のＩＤが設定された情報とが含まれる。このデータは、「国語」の授業において、「教科書」と「ノート」が用いられることを示している。このように、物品データ４３は、授業又は行事において複数の物品が用いられる場合にも対応できるように構成される。
【００４０】
本実施形態では、スケジュールデータ４２と物品データ４３とを別々に設ける場合について説明するが、スケジュールデータ４２が物品データ４３を含むように構成されてもよい。例えば、曜日毎の時間割情報は、時限毎の予定に加えて、その予定において用いられる物品のＩＤを含むように構成されてもよい。
【００４１】
次に、図６を参照しながら、設定データ４４について説明する。図６は、設定データ４４の例を示す図である。設定データ４４は、携帯電話機１０が忘れ物を検出する条件を示す条件情報を含む。条件情報は、時間帯と領域といった項目を含む。時間帯は、忘れ物の検出を実行する時間帯を示す。領域は、そこから外に出た場合に忘れ物の検出を実行する範囲を示す。条件情報の時間帯の項目には、生徒が家を出る時間帯が設定される。条件情報の領域の項目には、生徒の家の範囲又はその近傍の範囲を示す情報が設定される。
【００４２】
制御部１００は、記憶部４０に記憶されている各種プログラムに基づいて処理を実行する。制御部１００は、例えば、マイクロプロセッサ（ＭＰＵ：Ｍｉｃｒｏ  Ｐｒｏｃｅｓｓｉｎｇ  Ｕｎｉｔ）を含む。制御部１００は、記憶部４０に記憶されるプログラムから命令コードを順次読み込んで、読み込んだ命令コードで指示された手順に従って携帯電話機１０の各種の処理を実行する。すなわち、制御部１００は、携帯電話機１０の各種の処理が、操作部１４の操作、及び携帯電話機１０の記憶部４０に記憶されるプログラムに応じて適切な手順で実行されるように、表示部１５、カメラ１６、通信部１７、加速度センサ１８、リーダ１９及び音声処理部２０等の動作を制御する。
【００４３】
制御部１００は、測位処理を実行することで、携帯電話機１０の現在位置を取得する位置取得部として機能する。制御部１００は、通信部１７がＧＰＳ衛星から受信する電波信号に基づいて測位を行う。制御部１００は、通信部１７がＧＰＳ衛星から受信する電波信号を利用する方式に代えて、または、この方式に加えて、他の方式で測位を行ってもよい。例えば、制御部１００は、通信部１７が無線を受信している１または複数の基地局またはアクセスポイントの識別情報に基づいて測位を行ってもよい。この場合、制御部１００は、予め登録されている情報と識別情報とを照合することによって測位を行ってもよいし、通信部１７を介して、識別情報に対応する位置を問い合わせてもよい。制御部１００は、基地局またはアクセスポイントから受信する電波の強度をさらに用いて測位を行ってもよい。
【００４４】
制御部１００は、読み取り処理を実行することで、リーダ１９にＲＦＩＤ５０のＩＤの読み取りを要求する。制御部１００は、当該要求に応じてリーダ１９から入力されるＩＤを、読み取ったＩＤとして記憶部４０のデータ記憶領域４１に記憶する。
【００４５】
制御部１００は、移動検出処理を実行することで、携帯電話機１０の移動を検出する。制御部１００は、測位処理によって得られた現在位置が、設定データ４４の条件情報が示す領域の外に出た場合に、移動を検出したと判定する。制御部１００は、測位処理によって得られた位置が、設定データ４４の条件情報が示す領域の外に出ていない場合は、移動を検出していないと判定する。
【００４６】
図７は、ＲＦＩＤ５０のブロック図である。図７に示すように、ＲＦＩＤ５０は、送受信部５１と、メモリ５２とを有する。送受信部５１は、アンテナ５１ａを有し、アンテナ５１ａを介して携帯電話機１０のリーダ１９との間で上記通信方式による通信を行う。メモリ５２は、ＲＦＩＤ５０を識別するためのユニークな識別データ（ＩＤ）が記憶される。ＲＦＩＤ５０は、リーダ１９から電波を受信すると、受信した電波によって誘導電圧を発生し、電力を発生する。ＲＦＩＤ５０は、その電力を利用し、メモリ５２に記憶しているＩＤを示す反射波をリーダ１９に送信する。
【００４７】
ここまで、本実施形態に係る忘れ物検出システム１の基本的な構成について説明を行った。以下に、図８を参照して、携帯電話機１０の制御部１００が、どのようにして忘れ物を検出するかについて説明する。図８は、忘れ物を検出するための処理手順の例を示すフローチャートである。図８に示す処理手順は、現在の時刻が、設定データ４４の条件情報に設定された時間帯内である場合に、繰り返して実行される。
【００４８】
図８に示すように、制御部１００は、ステップＳ１０１として、移動を検出したか否かを判定する。具体的には、制御部１００は、測位処理によって現在位置を取得し、現在位置が設定データ４４の条件情報に設定された領域の外側であれば、移動を検出したと判定する。制御部１００は、移動を検出していない（Ｎｏ）と判定した場合、本処理手順を終了する。制御部１００は、移動を検出した（Ｙｅｓ）と判定した場合、ステップＳ１０２に進む。
【００４９】
制御部１００は、ステップＳ１０２として、リーダ１９にＩＤの読み取りを要求する。リーダ１９は、ＲＦＩＤ５０からＩＤを読み取り、読み取ったＩＤを制御部１００に出力する。制御部１００は、ステップＳ１０３として、ＲＦＩＤ５０から読み取ったＩＤを記憶部４０のデータ記憶領域４１に記憶する。
【００５０】
制御部１００は、ステップＳ１０４として、現在の日時を示す日時情報を取得する。制御部１００は、ステップＳ１０５として、日時情報とスケジュールデータ４２とに基づいて、所持すべき物品２ａ〜２ｎに設けられたＲＦＩＤ５０のＩＤを抽出する。具体的には、制御部１００は、スケジュールデータ４２から日時情報が示す日付（曜日）の予定を抽出し、それぞれの予定において用いられる物品のＩＤを物品データ４３から取得する。
【００５１】
例えば、制御部１００は、曜日を「月曜日」と特定した場合、図４に示す「月曜日」の時間割情報に基づいて、「国語」、「算数」、「社会」、「体育（水泳）」、「理科」の予定を抽出する。制御部１００は、それらの予定に対応する物品のＩＤを、所持すべき物品２ａ〜２ｎに設けられたＲＦＩＤ５０のＩＤとして、物品データ４３のＩＤの項目から取得する。
【００５２】
続いて、制御部１００は、ステップＳ１０６として、ステップＳ１０５で抽出したＩＤとステップＳ１０２で読み取ったＩＤとを照合して忘れ物を検出し、その検出結果を記憶部４０に記憶する。具体的には、制御部１００は、ステップＳ１０５で抽出されたＩＤが全て読み取られている場合、忘れ物を検出しない。制御部１００は、ステップＳ１０５で抽出されたが、読み取られていないＩＤがある場合、忘れ物を検出する。
【００５３】
制御部１００は、ステップＳ１０７として、忘れ物を検出したか否かを判定する。制御部１００は、忘れ物を検出していない（Ｎｏ）と判定した場合、本処理手順を終了する。制御部１００は、忘れ物を検出した（Ｙｅｓ）と判定した場合、ステップＳ１０８として、忘れ物を報知し、本処理手順を終了する。
【００５４】
本実施形態では、制御部１００は、忘れ物を生徒に報知するための報知情報を作成し、作成した報知情報を表示部１５に表示するとともに、報知音をスピーカ１２等から出力する。忘れ物の報知方法については、報知情報によって忘れ物に対応した物品２ａ〜２ｎを報知するようにしてもよい。
【００５５】
上述したように、本実施形態では、物品２ａ〜２ｎに設けられたＲＦＩＤ５０のＩＤと、スケジュールデータ４２とに基づいて忘れ物が検出される。このため、利用者を煩わせることなく、忘れ物が検出される。さらに、本実施形態では、移動（家を出ること）の検出を契機として忘れ物の検出処理が実行される。このため、好適なタイミングで、忘れ物の検出処理が実行される。
【００５６】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００５７】
上記の実施形態では、生徒の忘れ物を検出する例について説明した。しかしながら、忘れ物検出システム１は、生徒以外の利用者の忘れ物の検出にも利用することができる。このためには、忘れ物検出システム１は、携帯電話機１０の利用者の予定が、それぞれの予定において用いられる物品に設けられたＲＦＩＤ５０のＩＤを特定することができるようにスケジュールデータ４２が構成されていればよい。
【００５８】
上記の実施形態では、携帯電話機１０が、授業又は行事に用いられる物品のように必要性が日々変動する物品の忘れ物を検出する例を示した。しかしながら、携帯電話機１０は、必要性が日々変動する物品以外の物品の忘れ物も検出できるように構成されてもよい。必要性が日々変動する物品以外の物品は、例えば、定期券、名札、学生証のようにほぼ毎日必要な物品である。具体的には、携帯電話機１０がこれらの物品の忘れ物を検出できるように、これらの物品に設けられたＲＦＩＤのＩＤが所持すべき物品のＩＤとして毎日抽出されるようにスケジュールデータを構成してもよい。あるいは、これらの物品に設けられたＲＦＩＤのＩＤの情報を特定するためのデータを、スケジュールデータとは別に設けてもよい。
【００５９】
必要性が日々変動する物品以外の物品の忘れ物の検出を可能にすることにより、これらの物品の忘れ物が、授業又は行事に用いられる物品の忘れ物と同時に検出される。このため、生徒は、必要性が日々変動する物品以外の物品の忘れ物をする可能性を減らすことができるとともに、何度も忘れ物の対応を行う煩わしさに遭いにくくなる。
【００６０】
上記の実施形態では、携帯電話機１０とスケジュール入力装置７０が別々に設けられる例を示した。しかしながら、携帯電話機１０は、スケジュール入力装置７０の機能を有してもよい。すなわち、携帯電話機１０は、スケジュールデータ４２の登録及びメンテナンスを行うことができるように構成されてもよい。
【００６１】
上記の実施形態では、測位処理によって得た現在位置が予め設定された領域の外側であるか否かに基づいて移動を検出した。しかしながら、移動の検出方法は、これに限定されない。さらに、検出する移動は、家から出る場合の移動以外の移動であってもよい。
【００６２】
例えば、携帯電話機１０は、生徒の歩数を計数し、計数した歩数に基づいて移動を検出してもよい。この場合、制御部１００は、加速度センサ１８によって検出される加速度の変化に基づいて、生徒の歩数を計数する。制御部１００は、計数した歩数をデータ記憶領域４１に記憶する。計数された歩数は、所定のタイミング（日付が変わるタイミング、所定の期間が経過したタイミング等）でクリアされる。歩数の計数は、現在の時刻が、設定データ４４の条件情報に設定された時間帯内である場合にのみ行ってもよい。
【００６３】
そして、制御部１００は、計数された歩数が所定の閾値を超えた場合に、移動を検出する。ここでの閾値は、例えば、生徒が携帯電話機１０を所持しながら家の中を移動する間には超えることがないと想定される歩数、すなわち、生徒が家の外にいると想定される歩数であってもよい。あるいは、加速度の検出パターンに基づいて携帯電話機１０が鞄５に取り付けられた状態で移動しているか否かを判別できる場合には、閾値を数歩に設定し、携帯電話機１０が鞄５に取り付けられた状態で歩数が閾値を超えた場合に移動を検出してもよい。
【００６４】
あるいは、携帯電話機１０は、所定の通信機器との通信が不能になった場合、又は可能になった場合に移動を検出してもよい。例えば、携帯電話機１０は、生徒の部屋に設置された無線ＬＡＮ機器又はＢｌｕｅｔｏｏｔｈ（登録商標）機器との通信が不能となった場合に、移動を検出してもよい。例えば、携帯電話機１０は、生徒の家の玄関に貼付されたＲＦＩＤのＩＤをリーダが読み取った場合に、移動を検出してもよい。
【００６５】
あるいは、携帯電話機１０は、物品２ａ〜２ｎに設けられたＲＦＩＤ５０を用いて移動を検出し、忘れ物の検出処理を実行してもよい。図９を参照しながら、忘れ物検出システム１において、物品２ａ〜２ｎに設けられたＲＦＩＤ５０を用いて移動を検出する場合の制御の例を説明する。図９は、ＩＤを読み取れなくなった場合に忘れ物を検出する処理手順の例を示すフローチャートである。図９に示す処理手順は、現在の時刻が、設定データ４４の条件情報に設定された時間帯内である場合に、繰り返して実行される。この例の場合、リーダ１９は、生徒の部屋の中、又は生徒の家の中に存在するＲＦＩＤ５０のＩＤを読み取ることができる程度の読取可能範囲を有する。
【００６６】
図９に示すように、制御部１００は、ステップＳ２０１として、リーダ１９に読み取りを要求する。リーダ１９は、ＲＦＩＤ５０からＩＤを読み取り、読み取ったＩＤを制御部１００に出力する。制御部１００は、ステップＳ２０２として、ＲＦＩＤ５０から読み取ったＩＤを記憶部４０のデータ記憶領域４１に記憶する。
【００６７】
制御部１００は、ステップＳ２０３として、読み取ったＩＤと前回読み取ったＩＤとを照合し、その照合結果に基づいて、読み取れなくなったＩＤがあるか否かを判定する。制御部１００は、読み取れなくなったＩＤがない場合（Ｎｏ）、移動が検出されないと判定し、本処理手順を終了する。制御部１００は、読み取れなくなったＩＤがある場合（Ｙｅｓ）、移動が検出されたと判定し、ステップＳ２０４に進む。生徒の部屋には、当日の授業及び行事に用いられない物品に設けられたＲＦＩＤ５０も存在し、携帯電話機１０が生徒の部屋に位置している場合、リーダ１９は、それらのＲＦＩＤ５０のＩＤも読み取る。しかし、携帯電話機１０が部屋の外又は家の外に移動すると、リーダ１９は、それらのＲＦＩＤ５０のＩＤを読み取ることができなくなる。このため、読み取ったＩＤと前回読み取ったＩＤとを照合することよって、移動を検出することができる。
【００６８】
制御部１００は、ステップＳ２０４として、現在の日時を示す日時情報を取得する。制御部１００は、ステップＳ２０５として、日時情報とスケジュールデータ４２とに基づいて、所持すべき物品２ａ〜２ｎに設けられたＲＦＩＤ５０のＩＤを抽出する。制御部１００は、ステップＳ２０６として、抽出したＩＤと読み取ったＩＤとを照合して忘れ物を検出し、その検出結果を記憶部４０に記憶する。
【００６９】
制御部１００は、ステップＳ２０７として、記憶部４０の検出結果に基づいて、忘れ物を検出したか否かを判定する。制御部１００は、忘れ物を検出していない（Ｎｏ）と判定した場合、本処理手順を終了する。制御部１００は、忘れ物を検出した（Ｙｅｓ）と判定した場合、ステップＳ２０８として、忘れ物を報知し、本処理手順を終了する。
【００７０】
このように、携帯電話機１０は、物品２ａ〜２ｎに設けられたＲＦＩＤ５０を用いて移動を検出することもできる。この方式では、携帯電話機１０は、忘れ物を検出するために用いるリーダ１９を用いて移動も検出することができる。このため、携帯電話機１０は、加速度センサ、ＧＰＳ受信機等の他の装置を備えなくても移動を検出することができ、構成を簡略化することができる。
【００７１】
携帯電話機１０は、移動を検出する方式を組み合わせて用いてもよい。例えば、携帯電話機１０は、移動の検出精度を高めるために、複数の方式を併用して移動を検出し、全ての方式で移動が検出された場合、又は所定数の方式で移動が検出された場合に、忘れ物の検出処理を実行してもよい。
【００７２】
上述した実施形態では、携帯電話機１０が移動を検出した場合に、忘れ物を検出する場合について説明したが、携帯電話機１０は、所定の時刻に忘れ物を検出するように構成されてもよい。例えば、設定データ４４の条件情報に、所定の時刻を設定しておく。携帯電話機１０は、その所定の時刻を検出した場合に、鞄５のＲＦＩＤ５０からＩＤを読み取る。携帯電話機１０は、上述したように、抽出したＩＤと読み取ったＩＤとを照合して忘れ物を検出する。所定の時刻は、例えば、生徒が授業又は行事に必要な物品を揃えているはずの時刻、又は生徒が登校のために家を出る時刻である。
【００７３】
このように、携帯電話機１０は、所定の時刻を検出した場合に、ＲＦＩＤ５０のＩＤを読み取り、スケジュールデータ４２に基づいて忘れ物を検出することができる。このため、携帯電話機１０は、生徒が希望する所定の時刻に忘れ物を検出することができるので、生徒は、都合のよい時刻に忘れ物を確認することができる。
【００７４】
上述した実施形態では、ＲＦＩＤ５０がパッシブタグ（受動タグ）である場合について説明したが、ＲＦＩＤ５０は、例えば、アクティブタグ（能動タグ）、セミアクティブタグ（起動型能動タグ）を用いてもよい。
【００７５】
上述した実施形態では、携帯電話機１０のスケジュールデータ４２が時間割情報を有する場合について説明したが、これに限定されない。スケジュールデータ４２は、物品２ａ〜２ｎの運び先によって構成が異なるようにしてもよい。運び先は、例えば、学校、学習塾、スポーツクラブを含む。あるいは、運び先は、学校、学習塾、スポーツクラブを任意に組み合わせてもよい。
【００７６】
図１０は、学校と学習塾に対応したスケジュールデータ４２Ａの例を示す図である。図１０に示す例では、スケジュールデータ４２Ａは、曜日毎の時間帯情報を含む。時間帯情報は、時間帯と予定といった項目を含む。例えば、月曜日に対応した時間帯情報は、１時限に「国語」、２時限に「算数」、３時限に「社会」、４時限に「体育（水泳）」、５時限に「理科」、放課後に「学習塾」が設定されている。予定が「学習塾」を含む場合、物品情報は、予定の項目に「学習塾」が設定された物品情報が用いられる。このように、スケジュールデータ４２Ａは、学校と学習塾との予定を含むように構成することができる。このため、携帯電話機１０は、読み取ったＲＦＩＤ５０のＩＤと、スケジュールデータ４２Ａとに基づいて、学校と学習塾との双方の忘れ物を検出することができる。
【００７７】
図１１は、日付と時間帯に対応したスケジュールデータ４２Ｂの例を示す図である。図１１に示す例では、スケジュールデータ４２Ｂは、日付毎の時間帯情報を含む。時間帯情報は、時間帯と予定といった項目を含む。例えば、時間帯情報の時間帯は、「９：００〜１０：００」、「１０：００〜１１：００」、「１１：００〜１２：００」等の時間帯を含む。時間帯情報の予定は、時間帯に対応した予定を示す。予定は、例えば、科目、学習塾等を含む。さらに、携帯電話機１０が学生以外の利用者の忘れ物を検出する場合、予定は、例えば、会議、プレゼンテーション、打ち合わせ等を含む。
【００７８】
上述した携帯電話機１０のスケジュールデータ４２は、例えばスケジュールの変更等によって適宜変更することができる。例えば、運動会等の行事が延期になった場合、スケジュール入力装置７０、学校側のサーバ等は、携帯電話機１０のスケジュールデータ４２を変更する。例えば、スケジュール入力装置７０、学校側のサーバ等は、スケジュールデータ４２を変更するための変更情報を携帯電話機１０に供給する、あるいは、新たなスケジュールデータ４２を携帯電話機１０に供給する。携帯電話機１０は、記憶部４０のスケジュールデータ４２を変更すると、変更したスケジュールデータ４２に基づいて忘れ物を検出する。このため、携帯電話機１０は、スケジュールが変更になった場合でも、最新のスケジュールデータ４２に基づいて、忘れ物を検出することができる。さらに、携帯電話機１０は、スケジュールが変更になったことを生徒に報知するようにすれば、忘れ物が生じた理由を生徒に認識させることができる。
【００７９】
上述した実施形態では、携帯電話機１０がスケジュールデータ４２と物品データ４３とを記憶部４０に記憶する場合について説明したが、これに限定されない。スケジュールデータ４２と物品データ４３は、例えば、スケジュール入力装置７０、ネットワークを介して通信可能な学校側のサーバ等に記憶しておき、携帯電話機１０が必要に応じて参照するように構成されてもよい。
【００８０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００８１】
１  忘れ物検出システム
２ａ〜２ｎ  物品
５  鞄
１０  携帯電話機（携帯通信装置）
１１  マイク
１２  スピーカ
１３  レシーバ
１４  操作部
１５  表示部
１６  カメラ
１７  通信部
１８  加速度センサ
１９  リーダ
２０  音声処理部
４０  記憶部
４１  データ記憶領域
４２、４２Ａ、４２Ｂ  スケジュールデータ
４３  物品データ
５０  ＲＦＩＤ（無線タグ）
５１  送受信部
５１ａ  アンテナ
５２  メモリ
７０  スケジュール入力装置
１００  制御部
【図１】
2014044522.tif 000003
【図２】
2014044522.tif 000004
【図３】
2014044522.tif 000005
【図４】
2014044522.tif 000006
【図５】
2014044522.tif 000007
【図６】
2014044522.tif 000008
【図７】
2014044522.tif 000009
【図８】
2014044522.tif 000010
【図９】
2014044522.tif 000011
【図１０】
2014044522.tif 000012
【図１１】
2014044522.tif 000013